(57)【要約】【課題】組み付け時での不具合を防止することができるパッケージを提供する。【解決手段】台紙１１に、ブリスター１２の周縁部１４を挿入する切り込み２０１を形成する。ブリスター１２の周縁部１４を切り込み２０１に沿って移動する際に切り離し可能な易破断部４０１，４１１，４２１を切り込み２０１の一部に設ける。切り込み２０１で分離される内側部４０２と外側部４０３とを部分的に連結する。【選択図】図５
2015071433.tif 000002
【特許請求の範囲】
【請求項１】
膨出部が形成されたブリスターの周縁部を台紙に固定するパッケージにおいて、
前記台紙に、前記ブリスターの前記周縁部を挿入する切り込みを形成するとともに、
前記周縁部を前記切り込みに沿って移動する際に切り離し可能な易破断部を前記切り込みの一部に設けて該切り込みで分離される一方側と他方側とを部分的に連結したことを特徴とするパッケージ。
【請求項２】
前記切り込みを対向する箇所に設けられた第一切込部と第二切込部とで構成し、前記第一切込部及び前記第二切込部に設けられた前記易破断部を非対称位置に設定したことを特徴とする請求項１記載のパッケージ。
【発明の詳細な説明】
【技術分野】
【０００１】
本発明は、製品を収容するパッケージに関する。
【背景技術】
【０００２】
従来、製品を収容する際には、パッケージが使用されており、このパッケージとしては、台紙と、該台紙に装着されたブリスターによって形成されたものが知られている。
【０００３】
前記ブリスターは、透明プラスチックで形成ており、当該ブリスターには、製品を収容する為に表面側に膨出した膨出部が形成されている。
【０００４】
前記台紙は、厚紙等で形成されており、当該台紙の表面には、印刷が施されている。この台紙には、前記ブリスターの前記膨出部を突出させるための開口部が設けられており、当該台紙の裏面には、台紙の折返し部分が貼り合わせられている。
【０００５】
このパッケージを使用する際には、前記ブリスターの前記膨出部に製品を収容する。次に、当該ブリスターの側部に設けられた周縁部を前記台紙に設けられた開口部に下側から差し込むとともに、当該開口部に沿って挿入する。すると、このブリスターは、その周縁部が前記台紙と裏紙との間に挟持された状態で保持される。
【０００６】
そして、前記台紙の下部に設けられた折曲部を起立することで、前記ブリスターの下方への離脱を防止できるように構成されている。
【発明の概要】
【発明が解決しようとする課題】
【０００７】
しかしながら、このようなパッケージにあっては、台紙に設けられた開口部の内側に、折り返された台紙の裏面、すなわち印刷が施されていない面が露出してしまい、見栄えの悪化を招いてしまう。
【０００８】
これを防止する方法としては、前記台紙の裏面にも予め印刷を施す方法が考えられるが、コスト高を招いてしまう。
【０００９】
そこで、ブリスターの周縁部を挿入する為の切り込みを前記台紙に形成することが考えられるが、この場合、当該台紙を形成する際、例えば台紙の一部を折り返して裏面に貼り合わせる際に巻き込み等の不具合が生じてしまう。
【００１０】
本発明は、このような従来の課題に鑑みてなされたものであり、組み付け時での不具合を防止することができるパッケージを提供することを目的とするものである。
【課題を解決するための手段】
【００１１】
前記課題を解決するために本発明の請求項１のパッケージにあっては、膨出部が形成されたブリスターの周縁部を台紙に固定するパッケージにおいて、前記台紙に、前記ブリスターの前記周縁部を挿入する切り込みを形成するとともに、前記周縁部を前記切り込みに沿って移動する際に切り離し可能な易破断部を前記切り込みの一部に設けて該切り込みで分離される一方側と他方側とを部分的に連結した。
【００１２】
すなわち、台紙には、切り込みが形成されており、この切り込みにブリスターの周縁部を挿入することで、当該ブリスターを前記台紙にセットすることができる。
【００１３】
このため、前記台紙の前面を印刷する工程で、前記ブリスターの前記膨出部の内側にも印刷が施される。
【００１４】
そして、前記切り込みには、前記ブリスターの周縁部を当該切り込みに沿って移動する際に切り離し可能な易破断部が設けられており、当該切り込みで分離される一方側と他方側とが部分的に連結されている。
【００１５】
このため、当該台紙を形成する際に、例えば台紙の一部を折り返して裏面に貼り合わせる際に不用意な巻き込み等の不具合が防止される。
【００１６】
また、請求項２のパッケージにおいては、前記切り込みを対向する箇所に設けられた第一切込部と第二切込部とで構成し、前記第一切込部及び前記第二切込部に設けられた前記易破断部を非対称位置に設定した。
【００１７】
すなわち、前記切り込みは、対向する箇所に設けられた第一切込部と第二切込部とで構成されており、前記第一切込部及び前記第二切込部に設けられた前記易破断部は、非対称位置に設けられている。
【００１８】
このため、前記ブリスターの周縁部を、前記第一切込部及び前記第二切込部に沿って移動する際には、前記第一切込部及び前記第二切込部に設けられた易破断部は、前記周縁部によって片方ずつ切り離される。
【発明の効果】
【００１９】
以上説明したように本発明の請求項１のパッケージにあっては、台紙には、切り込みが形成されており、この切り込みにブリスターの周縁部を挿入することで、当該ブリスターを前記台紙にセットすることができる。
【００２０】
このため、ブリスターの膨出部を突出させるための開口部が台紙に設けられ、この開口部から折り返された台紙の裏面が露出する場合と比較して、前記台紙の前面を印刷するだけで、印刷面を前記ブリスターの前記膨出部の内側に配置することができる。
【００２１】
したがって、印刷コストを抑えつつ、見栄えの向上を図ることができる。
【００２２】
そして、前記切り込みには、前記ブリスターの周縁部を当該切り込みに沿って移動する際に切り離し可能な易破断部が設けられており、当該切り込みで分離される一方側と他方側とが部分的に連結されている。
【００２３】
このため、前記台紙に単純に切り込みを形成する場合と比較して、当該台紙を形成する場合、例えば台紙の一部を折り返して裏面に貼り合わせる際に不用意な巻き込み等の不具合を防止することができる。
【００２４】
これにより、組み付け時での不具合を確実に防止することができる。
【００２５】
また、請求項２のパッケージにおいて、前記切り込みは、対向する箇所に設けられた第一切込部と第二切込部とで構成されており、前記第一切込部及び前記第二切込部に設けられた前記易破断部は、非対称位置に設けられている。
【００２６】
このため、前記ブリスターの周縁部を、前記第一切込部及び前記第二切込部に沿って移動する際には、前記第一切込部及び前記第二切込部に設けられた易破断部は、前記周縁部によって片方ずつ切り離される。
【００２７】
このため、前記第一切込部及び前記第二切込部に設けられた前記易破断部が対称位置に設けられ、前記ブリスターの周縁部を前記第一切込部及び前記第二切込部に沿って移動する際に前記第一切込部及び前記第二切込部に設けられた両易破断部を同時に切り離さなければならない場合と比較して、小さな力で易破断部の切離しを行うことができる。
【００２８】
これにより、前記ブリスターの取付作業が容易となる。
【図面の簡単な説明】
【００２９】
【図１】本発明の一実施の形態を示す斜視図である。
【図２】同実施の形態のブリスターを示す平面図である。
【図３】同実施の形態のブリスターを示す側面図である。
【図４】同実施の形態の台紙を展開した状態を示す図である。
【図５】同実施の形態の台紙の要部を示す拡大図である。
【発明を実施するための形態】
【００３０】
以下、本発明の一実施の形態を図に従って説明する。
【００３１】
図１は、本実施の形態にかかるパッケージ１を示す図であり、該パッケージ１は、製品を収容して陳列するものである。
【００３２】
このパッケージ１は、台紙１１と、該台紙１１に装着されたブリスター１２によって形成されている。
【００３３】
該ブリスター１２は、図２及び図３にも示すように、無色透明のプラスチックで形成されており、収容された製品が見えるように構成されている。このブリスター１２は、シート状の部材によって形成されており、中央部には、表面側に膨出した膨出部１３が形成されているとともに、その外周部には、シート状の周縁部１４が形成されている。
【００３４】
前記膨出部１３は、楕円形状に形成された本体収容部３１と、該本体収容部３１の下側に設けられた長方形状の付属品収容部３２とによって構成されており、前記本体収容部３１には芳香剤３３を、前記付属品収容部３２には付属品としてのクリップ３４を収容できるよう構成されている。前記付属品収容部３２の下側には、シート状の折返し部３５が下方へ向けて延出しており、前記付属品収容部３２と前記折返し部３５との間には、当該折返し部３５を裏面側に折り返す折曲部３６が横設されている。
【００３５】
これにより、前記折返し部３５は、前記折曲部３６を中心に裏面側へ折り返せるように構成されており、前記クリップ３４を収容した前記付属品収容部３２の開口部を当該折返し部３５で閉鎖できるように構成されている。
【００３６】
前記周縁部１４は、図２に示したように、前記膨出部１３の右方を形成する右側部形成部４１と、前記膨出部１３の左方を形成する左側部形成部４２と、前記膨出部３１の上部を形成する上側部形成部４３とを備えている。前記右側部形成部４１の下部寄りの部位には、右切欠部４４が形成されており、前記左側部形成部４２の下部寄りの部位には、左切欠部４５が形成されている。前記上側部形成部４３には、中心部を境とする右側に右上切欠部４６が形成されており、前記中心部を境とする左側には、左上切欠部４７が形成されている。
【００３７】
前記台紙１１は、図４にも示すように、縦長の厚紙によって形成されている。この台紙１１は、組み立てた状態で、表面側を構成する表面構成部５１と、該表面構成部５１の裏側に折り返されて裏面を構成する裏面構成部５２とを備えており、前記表面構成部５１の下部には、当該パッケージを起立させる為の台座５３（図１参照）を形成する台座構成部５４が設けられている。
【００３８】
前記表面構成部５１と前記裏面構成部５２との間には、上縁山折り部６１が設定されており、前記裏面構成部５２を前記表面構成部５１の裏側に折り返せるように構成されている。前記裏面構成部５２の左側には、円弧状の円弧状切込６２が設けられており、該円弧状切込６２は、前記上縁山折り部６１に連設されている。
【００３９】
これにより、前記上縁山折り部６１で折曲して前記裏面構成部５２を折り返した際には、前記円弧状切込６２の内側に設けられた楕円部６５が前記表面構成部５１に沿って起立するように構成されている。
【００４０】
また、前記表面構成部５１と前記裏面構成部５２とには、フック挿入穴７１，７１が開設されており、前記表面構成部５１の裏面側に前記裏面構成部５２を折り返した際に、両構成部５１，５２に設けられたフック挿入穴７１，７１が連通するように構成されている。これにより、当該フック挿入穴７１，７１によって当該パッケージ１を陳列用フックに係止できるように構成されている。
【００４１】
前記台座構成部５４は、図１及び図４に示すように、前記台座５３の天面を形成する天面構成部１０１と、前記台座５３の前面を形成する前面構成部１０２と、前記台座５３の底面を形成する底面構成部１０３と、前記台座５３の背面を形成する背面構成部１０４とを備えており、該背面構成部１０４の端部には、前記表面構成部５１の裏面に接合される接合代１０５が設定されている。
【００４２】
前記前面構成部５１と前記天面構成部１０１との間には、谷折り部１１１が設定されており、谷折りできるように構成されている。この天面構成部１０１には、コ字状の回避用切込１１２が設けられており、前記谷折り部１１１が谷折りされる際に前記ブリスター１２の前記付属品収容部３２との干渉を回避できるように構成されている（図１参照）。
【００４３】
前記天面構成部１０１と前記前面構成部１０２との間には、前上部山折り部１２１が設定されており、当該前上部山折り部１２１で山折りできるように構成されている。この上部山折り部１２１の中央部には、起立意匠用切込１２２が形成されており、前記前上部山折り部１２１を山折りした際に、前記起立意匠切込１２２の内側に形成された首部１２３と頭部１２４とが起立するように構成されている。
【００４４】
前記前面構成部１０２と前記底面構成部１０３との間には、前下部山折り部１３１が設定されており、当該前下部山折り部１３１で山折りできるように構成されている。前記底面構成部１０３と前記背面構成部１０４との間には、後山折り部１３２が設定されており、当該後山折り部１３２で山折りできるように構成されている。
【００４５】
前記天面構成部１０１の右縁からは、前記台座５３の右壁を形成する右壁構成部１４１が延出しており、該右壁構成部１４１の端部には、右折曲部１４２が設けられている。前記天面構成部１０１と前記右壁構成部１４１との間には、右山折り部１４３が設定されており、前記右壁構成部１４１と前記右折曲部１４２との間には、右先端山折り部１４４が設定されている。
【００４６】
前記天面構成部１０１の左縁からは、前記台座５３の左壁を形成する左壁構成部１５１が延出しており、該左壁構成部１５１の端部には、左折曲部１５２が設けられている。前記天面構成部１０１と前記左壁構成部１５１との間には、左山折り部１５３が設定されており、前記左壁構成部１５１と前記左折曲部１５２との間には、左先端山折り部１５４が設定されている。
【００４７】
前記前面構成部１０２の右縁からは、前記台座５３の右壁の内側に配置される前面右延出部１６１が延出しており、該前面右延出部１６１と前記前面構成部１０２との間には、前記前面右延出部１６１を折曲する為の前面右山折り部１６２が設定されている。
【００４８】
前記前面構成部１０２の左縁からは、前記台座５３の左壁の内側に配置される前面左延出部１７１が延出しており、該前面左延出部１７１と前記前面構成部１０２との間には、前記前面左延出部１７１を折曲する為の前面左山折り部１７２が設定されている。
【００４９】
前記背面構成部１０４の右縁からは、前記台座５３の右壁の内側に配置される背面右延出部１８１が延出しており、該背面右延出部１８１と前記背面構成部１０４との間には、前記背面右延出部１８１を折曲する為の背面右山折り部１８２が設定されている。
【００５０】
前記背面構成部１０４の左縁からは、前記台座５３の左壁の内側に配置される背面左延出部１９１が延出しており、該背面左延出部１９１と前記背面構成部１０４との間には、前記背面左延出部１９１を折曲する為の背面左山折り部１９２が設定されている。
【００５１】
前記表面構成部５１には、前記ブリスター１２の前記周縁部１４を挿入する為の切り込み２０１が形成されている。この切り込み２０１は、前記表面構成部５１の右下に形成された第一切込部２０２と、前記表面構成部５１の左下に形成された第二切込部２０３とで構成されており、両切込部２０２，２０３は、対向して設けられている。
【００５２】
前記第一切込部２０２の下端部には、図５に示すように、下方へ向けて突出した円弧状の第一下部円弧部３０１が設定されており、該第一下部円弧部３０１の内側の端からは、上方へ向けて直線状に延在する第一直線部３０２が延出している。該第一直線部３０２の上端からは、内側へ向けて湾曲した第一湾曲部３０３が延出しており、該第一湾曲部３０３の上端からは、上方へ向けて突出した小径円弧状の第一上部円弧部３０４が延出している。
【００５３】
前記第二切込部２０３の下端部には、下方へ向けて突出した円弧状の第二下部円弧部３１１が設定されており、該第二下部円弧部３１１の内側の端からは、上方へ向けて直線状に延在する第二直線部３１２が延出している。該第二直線部３１２の上端からは、内側へ向けて湾曲した第二湾曲部３１３が延出しており、該第二湾曲部３１３の上端からは、上方へ向けて突出した小径円弧状の第二上部円弧部３１４が延出している。
【００５４】
この表面構成部５１には、前記第一下部円弧部３０１の端部と前記第一下部円弧部３１１の端部とを結ぶ位置に折曲部３２１が横設されている。
【００５５】
前記第一下部円弧部３０１の右端と前記第一直線部３０２との間には、前記第一下部円弧部３０１から前記第一直線部３０２へ向かうに従って上方に延在する第一谷折り部３３１が谷折り可能に延設されており、前記第一下部円弧部３０１と前記第一直線部３０２と前記第一谷折り部３３１とで包囲された領域には、前記ブリスター１２における前記周縁部１４の前記右側部形成部４１を挿入する際にめくり挙げられる第一舌片３３２が形成されている。
【００５６】
前記第二下部円弧部３１１の左端と前記第二直線部３１２との間には、前記第二下部円弧部３１１から前記第二直線部３１２へ向かうに従って上方に延在する第二谷折り部３４１が谷折り可能に延設されており、前記第二下部円弧部３１１と前記第二直線部３１２と前記第二谷折り部３４１とで包囲された領域には、前記ブリスター１２における前記周縁部１４の前記左側部形成部４２を挿入する際にめくり挙げられる第二舌片３４２が形成されている。
【００５７】
前記第一切込部２０２の前記第一直線部３０２には、前記第一下部円弧部３０１側の下側に第一易破断部４０１が設定されており、当該第一切込部２０２で分離される内側部４０２と外側部４０３とが前記第一易破断部４０１によって部分的に連結されている。該第一易破断部４０１は、前記内側部４０２と前記外側部４０３とを連結する細線により構成されており、前記ブリスター１２の前記周縁部１４を当該第一切込部２０２に挿入して移動する際に、前記周縁部１４の前記右側部形成部４１によって容易に切離しができるように構成されている。
【００５８】
また、前記第一切込部２０２の前記第一直線部３０２には、前記第一湾曲部３０３側の上側に第二易破断部４１１が設定されており、当該第一切込部２０２で分離される前記内側部４０２と前記外側部４０３とが前記第二易破断部４１１によって部分的に連結されている。該第二易破断部４１１は、前記内側部４０２と前記外側部４０３とを連結する細線により構成されており、前記ブリスター１２の前記周縁部１４を当該第一切込部２０２に挿入して移動する際に、前記周縁部１４の前記右側部形成部４１によって容易に切離しができるように構成されている。
【００５９】
前記第二切込部２０３の前記第二直線部３１２には、当該第二直線部３１２のほぼ中央に第三易破断部４２１が設定されており、当該第二切込部２０３で分離される前記内側部４０２と前記外側部４０３とが前記第三易破断部４２１によって部分的に連結されている。該第三易破断部４２１は、前記内側部４０２と前記外側部４０３とを連結する細線により構成されており、前記ブリスター１２の前記周縁部１４を当該第二切込部２０３に挿入して移動する際に、前記周縁部１４の前記左側部形成部４２によって容易に切離しができるように構成されている。
【００６０】
この第三易破断部４２１は、前記第一易破断部４０１と前記第二易破断部４１１との中間の高さ位置に設定されており、前記第一切込部２０２及び前記第二切込部２０３に設けられた前記各易破断部４０１，４１１，４２１は非対称位置に設定されている。
【００６１】
そして、図４に示したように、前記天面構成部１０１に設けられたコ字状の前記回避用切込１１２や、前記起立意匠用切込１２２にも、前述同様の易破断部５０１，・・・が設定されており、これらの易破断部５０１，・・・は、左右対称位置に設定されている。
【００６２】
以上の構成にかかる本実施において、台紙１１を形成する際には、基材に印刷を施した後、ニスを塗る。次に、前記フック挿入穴７１や切り込み部分の打ち抜きを行った後、各台紙１１の形状に切り落とす。
【００６３】
そして、この台紙１１を、前記前下部山折り部１３１にて山折りにして前記底面構成部１０３及び前記背面構成部１０４を裏側に折り返すとともに、該背面構成部１０４に設定された接合代１０５を前記表面構成部５１の裏面に接着する。
【００６４】
また、この台紙１１を前記上縁山折り部６１で山折りして前記裏面構成部５２を前記表面構成部５１の裏側に折返し、前記裏面構成部５２の自由端部を前記背面構成部１０４の前記接合代１０５に重ね合わせた状態で接着する。
【００６５】
このとき、前記台紙１１に設けられた切り込み２０１には、ブリスター１２の周縁部１４を当該切り込み２０１に沿って移動する際に切り離し可能な易破断部４０１，４１１，４２１が設けられており、当該切り込み２０１で分離される一方側の内側部４０２と他方側である外側部４０３とが部分的に連結されている。
【００６６】
このため、台紙に単純に切り込みを形成する場合と比較して、当該台紙１１を形成する場合、具体的には台紙１１の一部を折り返して裏面に貼り合わせる際に不用意な機械への巻き込み等を防止することができる。
【００６７】
これにより、組み付け時での不具合を確実に防止することができる。
【００６８】
また、前記切り込み２０１は、対向する箇所に設けられた第一切込部２０２と第二切込部２０３とで構成されており、前記第一切込部２０２及び前記第二切込部２０３に設けられた前記各易破断部４０１，４１１，４２１は、非対称位置に設けられている。
【００６９】
このため、前記ブリスター１２の周縁部１４を、前記第一切込部２０２及び前記第二切込部２０３に沿って移動する際には、前記第一切込部２０２に設けられた第一易破断部４０１、第二切込部２０３に設けられた第三易破断部４２１、第一切込部２０２に設けられた第二易破断部４１１の順に、一つずつ切り離すことができる。
【００７０】
このため、前記第一切込部２０２及び前記第二切込部２０３に設けられた前記易破断部が対称位置に設けられ、前記ブリスター１２の周縁部１４を前記第一切込部２０２及び前記第二切込部２０３に沿って移動する際に前記第一切込部２０２及び前記第二切込部２０３に設けられた両易破断部を同時に切り離さなければならない場合と比較して、小さな力で易破断部の切離しを行うことができる。
【００７１】
これにより、前記ブリスター１２の取付作業が容易となる。
【００７２】
このように、前記切り込み２０１にブリスター１２の周縁部１４を挿入することで、当該ブリスター１２を前記台紙１１にセットすることができる。
【００７３】
このため、ブリスターの膨出部を突出させるための開口部が台紙に設けられ、この開口部から折り返された台紙の裏面が露出してしまう場合と比較して、前記台紙１１の前面を印刷するだけで、印刷面を前記ブリスター１２の前記膨出部１３の内側に配置することができる。
【００７４】
したがって、印刷コストを抑えつつ、見栄えの向上を図ることができる。
【符号の説明】
【００７５】
１    パッケージ
１１    台紙
１２    ブリスター
１３    膨出部
１４    周縁部
５１    表面構成部
５２    裏面構成部
２０１    切り込み
２０２    第一切込部
２０３    第二切込部
４０１    第一易破断部
４０２    内側部
４０３    外側部
４１１    第二易破断部
４２１    第三易破断部
【図１】
2015071433.tif 000003
【図２】
2015071433.tif 000004
【図３】
2015071433.tif 000005
【図４】
2015071433.tif 000006
【図５】
2015071433.tif 000007